【手続補正書】
【提出日】平成18年11月10日(2006.11.10)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2006506482.tif 000001
〔ここで、
Ｒ1、Ｒ2、Ｒ3、Ｒ4は互いに独立して、Ｈ、Ｃｌ、Ｂｒ、Ｆ、ＳＯ3Ｈ、ＳＯ2Ｒ、ＳＯ2ＮＲ′Ｒ″、ＣＯＯＲ、ＣＯＯＨ、ＯＨ、アルキル、アリール、アルコキシ、ＮＣＯＣＨ3又はＮＲ′Ｒ″を意味し、あるいは二つの隣接置換基Ｒ1、Ｒ2、Ｒ3又はＲ4は一緒に、ベンゾチアゾール部に環を形成し、しかもこの環は非置換又はＳＯ3Ｈにより置換され得、
Ｒ5、Ｒ6、Ｒ7、Ｒ8、Ｒ9は互いに独立して、Ｈ、Ｃｌ、Ｂｒ、Ｆ、アルキル、アリール、アルコキシ、ＳＯ3Ｈ、ＳＯ2Ｒ、ＮＲ′Ｒ″を意味し、あるいは二つの隣接置換基Ｒ5、Ｒ6、Ｒ7、Ｒ8又はＲ9は一緒に、フェニル部に環を形成し、しかもこの環は非置換又はＳＯ3Ｈにより置換され得、
Ｒは、Ｈ、アルキル又はアリール基であり、しかもこれらの基は置換されていても又は置換されていなくてもよく、あるいはＲ′及びＲ″は互いに独立して、Ｈ、アルキル又はアルコキシ又はアリール基であり、しかもこれらの基は置換されていても又は置換されていなくてもよく、
但し、置換基Ｒ5、Ｒ6、Ｒ7、Ｒ8、Ｒ9の少なくとも一つはＨとは異なることを条件とする〕
による染料、並びにそれらの塩及び／又はそれらの混合物。
【請求項２】
式（Ｉ′）
【化２】
2006506482.tif 000002
〔ここで、
Ｒ′1、Ｒ′2、Ｒ′3、Ｒ′4は互いに独立して、Ｈ、ＳＯ3Ｈ、ＳＯ2Ｒ、ＳＯ2ＮＲ′Ｒ″、ＣＯＯＲ、ＣＯＯＨ、アルキル、アルコキシ、ＮＣＯＣＨ3又はＮＲ′Ｒ″を意味し、あるいは二つの隣接置換基Ｒ′1、Ｒ′2、Ｒ′3又はＲ′4は一緒に、ベンゾチアゾール部に環を形成し、しかもこの環は非置換又はＳＯ3Ｈにより置換され得、しかし置換基Ｒ′1、Ｒ′2、Ｒ′3又はＲ′4の少なくとも二つはＨを意味し、
Ｒ′5、Ｒ′6、Ｒ′7、Ｒ′8、Ｒ′9は互いに独立して、Ｈ、アルキル、アリール、メトキシ又はエトキシ、ＳＯ3Ｈ、ＳＯ2ＣＨ2ＣＨ2−ＯＨ、ＮＲ′Ｒ″を意味し、あるいは二つの隣接置換基Ｒ′5、Ｒ′6、Ｒ′7、Ｒ′8又はＲ′9は一緒に、フェニル部に環を形成し、しかもこの環は非置換又はＳＯ3Ｈにより置換され得、しかしＲ′5、Ｒ′6、Ｒ′7、Ｒ′8又はＲ′9の少なくとも二つはＨを意味し、
Ｒ、Ｒ′及びＲ″は、上記に定義されたとおりであり、
但し、置換基Ｒ′5、Ｒ′6、Ｒ′7、Ｒ′8又はＲ′9の少なくとも一つはＨとは異なることを条件とする〕
を有することを特徴とする、請求項１に記載の染料、並びにそれらの塩及び／又はそれらの混合物。
【請求項３】
Ｒ9又はＲ′9がＨを意味することを特徴とする、請求項１又は２に記載の染料、並びにそれらの塩及び／又はそれらの混合物。
【請求項４】
式（Ｉ″）
【化３】
2006506482.tif 000003
〔ここで、
Ｒ″1、Ｒ″2、Ｒ″3、Ｒ″4は互いに独立して、Ｈ、ＳＯ3Ｈ、ＳＯ2ＣＨ2ＣＨ2−ＯＨ、ＳＯ2ＮＨ2、ＳＯ2Ｎ（ＣＨ3）2、ＣＯＯＨ、ＣＯＯＣＨ3、ＣＯＯＣＨ2ＣＨ3、ＣＨ3、ＣＨ2ＣＨ3、ＯＣＨ2ＣＨ2ＯＨ、ＮＣＯＣＨ3、Ｎ（ＣＨ3）2又はＮＨ2を意味し、あるいは二つの隣接置換基Ｒ″1、Ｒ″2、Ｒ″3又はＲ″4は一緒に、ベンゾチアゾール部に６員環を形成し、しかもこの６員環は非置換又はＳＯ3Ｈにより置換され得、しかし置換基Ｒ″1、Ｒ″2、Ｒ″3又はＲ″4の少なくとも二つはＨを意味し、
Ｒ″5、Ｒ″6、Ｒ″7、Ｒ″8、Ｒ″9は互いに独立して、Ｈ、メチル、エチル、アリール、メトキシ又はエトキシ、ＳＯ3Ｈ、ＳＯ2ＣＨ2ＣＨ2−ＯＨ、ＮＨ2を意味し、あるいは二つの隣接置換基Ｒ″5、Ｒ″6、Ｒ″7、Ｒ″8又はＲ″9は一緒に、フェニル部に６員環を形成し、しかもこの６員環は非置換又はＳＯ3Ｈにより置換され得、しかしＲ″5、Ｒ″6、Ｒ″7又はＲ″8の少なくとも一つはＨを意味し、
但し、置換基Ｒ″5、Ｒ″6、Ｒ″7、Ｒ″8又はＲ″9の少なくとも一つはＨとは異なることを条件とする〕
を有することを特徴とする、請求項３に記載の染料、並びにそれらの塩及び／又はそれらの混合物。
【請求項５】
フェニルに形成される６員環が、式
【化４】
2006506482.tif 000004
〔ここで、星印は、フェニルへの結合点を意味する〕
の一つを有することを特徴とする、請求項１から４のいずれか一項に記載の染料、並びにそれらの塩及び／又はそれらの混合物。
【請求項６】
請求項１から５のいずれか一項に記載の染料、並びにそれらの塩及び／又はそれらの混合物の少なくとも一つを含むインクジェット印刷用インキ又は印刷用ペースト又は液状染色用調製物。
【請求項７】
有機基材を染色する又は印刷する又はインクジェット印刷するための、請求項１から５のいずれか一項に記載の染料、並びにそれらの塩及び／又はそれらの混合物の少なくとも一つの使用。
【請求項８】
有機基材が、紙又は紙様基材であることを特徴とする、請求項７に記載の使用。
【請求項９】
請求項１から５のいずれか一項に記載の染料、並びにそれらの塩及び／又はそれらの混合物の少なくとも一つでもって染色又は印刷された有機基材。
【請求項１０】
有機基材が、紙又は紙様基材であることを特徴とする、請求項９に記載の染色又は印刷された基材。
【手続補正２】
【補正対象書類名】明細書
【補正対象項目名】００１３
【補正方法】変更
【補正の内容】
【００１３】
本発明は、式（Ｉ）
【化５】
2006506482.tif 000005
〔ここで、
Ｒ1、Ｒ2、Ｒ3、Ｒ4は互いに独立して、Ｈ、Ｃｌ、Ｂｒ、Ｆ、ＳＯ3Ｈ、ＳＯ2Ｒ、ＳＯ2ＮＲ′Ｒ″、ＣＯＯＲ、ＣＯＯＨ、ＯＨ、アルキル、アリール、アルコキシ、ＮＣＯＣＨ3又はＮＲ′Ｒ″を意味し、あるいは二つの隣接置換基Ｒ1、Ｒ2、Ｒ3又はＲ4は一緒に、ベンゾチアゾール部に形成される環を形成し、しかもこの環は非置換又はＳＯ3Ｈにより置換され得、
【手続補正３】
【補正対象書類名】明細書
【補正対象項目名】００１４
【補正方法】変更
【補正の内容】
【００１４】
Ｒ5、Ｒ6、Ｒ7、Ｒ8、Ｒ9は互いに独立して、Ｈ、Ｃｌ、Ｂｒ、Ｆ、アルキル、アリール、アルコキシ、ＳＯ3Ｈ、ＳＯ2Ｒ、ＮＲ′Ｒ″を意味し、あるいは二つの隣接置換基Ｒ5、Ｒ6、Ｒ7、Ｒ8又はＲ9は一緒に、フェニル部に形成される環を形成し、しかもこの環は非置換又はＳＯ3Ｈにより置換され得、
【手続補正４】
【補正対象書類名】明細書
【補正対象項目名】００１６
【補正方法】変更
【補正の内容】
【００１６】
本発明による好ましい染料は、式（Ｉ′）
【化６】
2006506482.tif 000006
〔ここで、
Ｒ′1、Ｒ′2、Ｒ′3、Ｒ′4は互いに独立して、Ｈ、ＳＯ3Ｈ、ＳＯ2Ｒ、ＳＯ2ＮＲ′Ｒ″、ＣＯＯＲ、ＣＯＯＨ、アルキル、アルコキシ、ＮＣＯＣＨ3又はＮＲ′Ｒ″を意味し、あるいは二つの隣接置換基Ｒ′1、Ｒ′2、Ｒ′3又はＲ′4は一緒に、ベンゾチアゾール部に形成される環を形成し、しかもこの環は非置換又はＳＯ3Ｈにより置換され得、しかし置換基Ｒ′1、Ｒ′2、Ｒ′3又はＲ′4の少なくとも二つはＨを意味し、
【手続補正５】
【補正対象書類名】明細書
【補正対象項目名】００１７
【補正方法】変更
【補正の内容】
【００１７】
Ｒ′5、Ｒ′6、Ｒ′7、Ｒ′8、Ｒ′9は互いに独立して、Ｈ、アルキル、アリール、メトキシ又はエトキシ、ＳＯ3Ｈ、ＳＯ2ＣＨ2ＣＨ2−ＯＨ、ＮＲ′Ｒ″を意味し、あるいは二つの隣接置換基Ｒ′5、Ｒ′6、Ｒ′7、Ｒ′8又はＲ′9は一緒に、フェニル部に形成される環を形成し、しかもこの環は非置換又はＳＯ3Ｈにより置換され得、しかしＲ′5、Ｒ′6、Ｒ′7、Ｒ′8又はＲ′9の少なくとも二つはＨを意味し、
Ｒ、Ｒ′及びＲ″は、上記に定義されたとおりであり、
但し、置換基Ｒ′5、Ｒ′6、Ｒ′7、Ｒ′8、Ｒ′9の少なくとも一つはＨとは異なることを条件とする〕
を有し、並びにそれらの塩及び／又はそれらの混合物である。
【手続補正６】
【補正対象書類名】明細書
【補正対象項目名】００１９
【補正方法】変更
【補正の内容】
【００１９】
本発明による一層好ましい染料は、式（Ｉ″）
【化７】
2006506482.tif 000007
〔ここで、
Ｒ″1、Ｒ″2、Ｒ″3、Ｒ″4は互いに独立して、Ｈ、ＳＯ3Ｈ、ＳＯ2ＣＨ2ＣＨ2−ＯＨ、ＳＯ2ＮＨ2、ＳＯ2Ｎ（ＣＨ3）2、ＣＯＯＨ、ＣＯＯＣＨ3、ＣＯＯＣＨ2ＣＨ3、ＣＨ3、ＣＨ2ＣＨ3、ＯＣＨ2ＣＨ2ＯＨ、ＮＣＯＣＨ3、Ｎ（ＣＨ3）2又はＮＨ2を意味し、あるいは二つの隣接置換基Ｒ″1、Ｒ″2、Ｒ″3又はＲ″4は一緒に、ベンゾチアゾール部に形成される６員環を形成し、しかもこの６員環は非置換又はＳＯ3Ｈにより置換され得、しかし置換基Ｒ″1、Ｒ″2、Ｒ″3又はＲ″4の少なくとも二つはＨを意味し、
【手続補正７】
【補正対象書類名】明細書
【補正対象項目名】００２０
【補正方法】変更
【補正の内容】
【００２０】
Ｒ″5、Ｒ″6、Ｒ″7、Ｒ″8、Ｒ″9は互いに独立して、Ｈ、メチル、エチル、アリール、メトキシ又はエトキシ、ＳＯ3Ｈ、ＳＯ2ＣＨ2ＣＨ2−ＯＨ、ＮＨ2を意味し、あるいは二つの隣接置換基Ｒ″5、Ｒ″6、Ｒ″7、Ｒ″8又はＲ″9は一緒に、フェニル部に形成される６員環を形成し、しかもこの６員環は非置換又はＳＯ3Ｈにより置換され得、しかしＲ″5、Ｒ″6、Ｒ″7又はＲ″8の少なくとも一つはＨを意味し、
但し、置換基Ｒ″5、Ｒ″6、Ｒ″7、Ｒ″8、Ｒ″9の少なくとも一つはＨとは異なることを条件とする〕
を有し、並びにそれらの塩及び／又はそれらの混合物である。
【手続補正８】
【補正対象書類名】明細書
【補正対象項目名】００２１
【補正方法】変更
【補正の内容】
【００２１】
フェニルに形成される好ましい６員環は、式
【化８】
2006506482.tif 000008
〔ここで、星印は、フェニルへの結合点を意味する〕
を有する。
【手続補正９】
【補正対象書類名】明細書
【補正対象項目名】００２２
【補正方法】変更
【補正の内容】
【００２２】
好ましさによれば、式（Ｉ）、（Ｉ′）又は（Ｉ″）による一層好ましい化合物は、少なくとも１個の可溶化基を担持する。式（Ｉ）、（Ｉ′）又は（Ｉ″）による最も好ましい化合物は、少なくとも２個の可溶化基を担持する。好ましさによれば、可溶化基の少なくとも一つはカップリング成分中に位置し、しかしてこれは、置換基Ｒ5、Ｒ6、Ｒ7、Ｒ8、Ｒ9又はＲ′5、Ｒ′6、Ｒ′7、Ｒ′8、Ｒ′9又はＲ″5、Ｒ″6、Ｒ″7、Ｒ″8、Ｒ″9のそれぞれ少なくとも一つが可溶化基を意味するあるいは二つの隣接置換基Ｒ5、Ｒ6、Ｒ7、Ｒ8又はＲ9が一緒にフェニル部に形成される環を形成する場合、これらの形成された環が少なくとも可溶化基により置換され、そしてこの可溶化基は元のフェニル環に位置するか又は二つの隣接置換基Ｒ5、Ｒ6、Ｒ7、Ｒ8、Ｒ9若しくはＲ′5、Ｒ′6、Ｒ′7、Ｒ′8、Ｒ′9若しくはＲ″5、Ｒ″6、Ｒ″7、Ｒ″8、Ｒ″9によりそれぞれ新たに形成された環に位置するかのどちらかであることを意味する。好ましさによれば、かかる可溶化基は、スルホ、カルボキシ及びヒドロキシエチルスルホニル（−ＳＯ2ＣＨ2ＣＨ2ＯＨ）基の群から選択される。好ましい可溶化基は、スルホ基である。